(57)【要約】  本開示の一実施形態に係る制御回路は、当該制御回路から出力される信号波形が２００μｓｅｃの表示分解能または２００μｓｅｃよりも劣る表示分解能で観察されたときに、垂直スタート信号によって規定される１フィールド期間における垂直有効表示期間が１フィールド期間の開始時寄りとなるように、フィールド反転駆動方式でアクティブマトリクス駆動の制御を行う。
2016208321.tif 000002
【特許請求の範囲】
【請求項１】
電気光学素子の駆動を制御する制御回路であって、
当該制御回路から出力される信号波形が２００μｓｅｃの表示分解能または２００μｓｅｃよりも劣る表示分解能で観察されたときに、垂直スタート信号によって規定される１フィールド期間における垂直有効表示期間が前記１フィールド期間の開始時寄りとなるように、フィールド反転駆動方式でアクティブマトリクス駆動の制御を行う
制御回路。
【請求項２】
前記１フィールド期間ごとに前記電気光学素子のコモン電圧に対して極性を反転させた信号電圧が前記電気光学素子に印加されるようにフィールド反転駆動の制御を行う
請求項１に記載の制御回路。
【請求項３】
前記１フィールド期間ごとに前記コモン電圧が変化するようにフィールド反転駆動の制御を行う
請求項２に記載の制御回路。
【請求項４】
前記コモン電圧を固定電位にしつつ、フィールド反転駆動の制御を行う
請求項２に記載の制御回路。
【請求項５】
前記垂直ブランキング期間が、前記１フィールド期間の１／２以上となっている
請求項２に記載の制御回路。
【請求項６】
前記垂直ブランキング期間が、前記１フィールド期間の２／３以上となっている
請求項２に記載の制御回路。
【請求項７】
前記垂直ブランキング期間が、前記１フィールド期間の３／４以上となっている
請求項２に記載の制御回路。
【請求項８】
前記垂直ブランキング期間が、前記１フィールド期間の１／６以上となっている
請求項２に記載の制御回路。
【請求項９】
前記垂直ブランキング期間が、前記１フィールド期間の１／１２以上となっている
請求項２に記載の制御回路。
【請求項１０】
前記１フィールド期間内に１つだけ前記垂直有効表示期間が設けられている
請求項２に記載の制御回路。
【請求項１１】
前記垂直有効表示期間は、前記１フィールド期間の１／２よりも短く、
前記１フィールド期間内に２つだけ前記垂直有効表示期間が設けられている
請求項２に記載の制御回路。
【請求項１２】
電気光学素子と、
前記電気光学素子の駆動を制御する制御回路と
を備え、
前記制御回路は、当該制御回路から出力される信号波形が２００μｓｅｃの表示分解能または２００μｓｅｃよりも劣る表示分解能で観察されたときに、垂直スタート信号によって規定される１フィールド期間における垂直有効表示期間が前記１フィールド期間の開始時寄りとなるように、フィールド反転駆動方式でアクティブマトリクス駆動の制御を行う
表示装置。
【請求項１３】
前記電気光学素子は、
行方向に延在する複数の走査線と、
列方向に延在する複数の信号線と、
前記走査線と前記信号線とが互いに交差する箇所ごとに１つずつ設けられた複数の画素と、
複数の前記走査線に接続された垂直駆動回路と、
複数の前記信号線に接続された水平駆動回路と
を有し、
各前記画素は、
液晶セルと、
前記走査線から入力される信号に基づいて前記信号線の電圧をサンプリングするとともに前記液晶セルに書き込む画素トランジスタと
を有し、
前記制御回路は、前記垂直駆動回路および前記水平駆動回路に対して、各前記画素のフィールド反転駆動方式によるアクティブマトリクス駆動の制御を行う
請求項１２に記載の表示装置。
【請求項１４】
表示装置を備え、
前記表示装置は、
電気光学素子と、
前記電気光学素子の駆動を制御する制御回路と
を有し、
前記制御回路は、当該制御回路から出力される信号波形が２００μｓｅｃの表示分解能または２００μｓｅｃよりも劣る表示分解能で観察されたときに、垂直スタート信号によって規定される１フィールド期間における垂直有効表示期間が前記１フィールド期間の開始時寄りとなるように、フィールド反転駆動方式でアクティブマトリクス駆動の制御を行う
電子機器。
【請求項１５】
照明光学系と、
前記照明光学系からの光を変調することで画像光を生成する複数の電気光学素子と、
複数の前記電気光学素子の駆動を制御する制御回路と、
複数の前記電気光学素子で生成された画像光を投射する投影光学系と
を備え、
前記制御回路は、当該制御回路から出力される信号波形が２００μｓｅｃの表示分解能または２００μｓｅｃよりも劣る表示分解能で観察されたときに、垂直スタート信号によって規定される１フィールド期間における垂直有効表示期間が前記１フィールド期間の開始時寄りとなるように、フィールド反転駆動方式でアクティブマトリクス駆動の制御を行う
投射型表示装置。
【発明の詳細な説明】
【技術分野】
【０００１】
本開示は、制御回路、表示装置、電子機器および投射型表示装置に関する。
【背景技術】
【０００２】
電気光学素子として液晶セルを備えた表示装置では、液晶セルに長時間にわたって直流電圧が印加され続けると、液晶の比抵抗（物質固有の抵抗値）等の劣化や、「焼き付き」と呼ばれる残像現象が生じる。そのため、液晶セルの画素電極に印加される信号電圧の、液晶セルの対向電極の電位に対する極性を所定の周期で反転させる交流駆動法が採られている。この交流駆動法としては、例えば、対向電極に印加するコモン電圧を一定にして、信号電圧の極性を１フィールド期間ごとに反転させたり、信号電圧だけでなくコモン電圧も１フィールド期間ごとに反転させたりするフィールド反転駆動法が知られている（例えば、特許文献１参照）。
【先行技術文献】
【特許文献】
【０００３】
【特許文献１】特開２００１−４２２８７号公報
【発明の概要】
【０００４】
しかし、フィールド反転駆動法では、１フィールド期間内の特定の期間において、画素トランジスタのソース・ドレイン間の電位差が大きくなり、画素トランジスタにリーク電流が流れる。しかも、リーク電流の多く流れる期間（以下、「リーク期間」と称する。）が１画面内で異なる。具体的には、画面上部、画面中央部、画面下部で、リーク期間が互いに異なる。さらに、画素トランジスタの特性が画素ごとにばらついている。そのため、リーク量が画面上下方向だけでなく、画素ごとに異なるので、画面中央から下方にかけて、シェーディングが発生するとともに、まだら模様が発生し、画質が劣化してしまうという問題があった。
【０００５】
したがって、フィールド反転駆動において、電流リークに起因する画質の劣化を有意に抑制することの可能な制御回路、ならびにそれを備えた表示装置、電子機器および投射型表示装置を提供することが望ましい。
【０００６】
本開示の一実施形態に係る制御回路は、電気光学素子の駆動を制御する制御回路である。制御回路は、当該制御回路から出力される信号波形が２００μｓｅｃの表示分解能または２００μｓｅｃよりも劣る表示分解能で観察されたときに、垂直スタート信号によって規定される１フィールド期間における垂直有効表示期間が１フィールド期間の開始時寄りとなるように、フィールド反転駆動方式でアクティブマトリクス駆動の制御を行う。
【０００７】
本開示の一実施形態に係る表示装置は、電気光学素子と、電気光学素子の駆動を制御する制御回路とを備えている。制御回路は、当該制御回路から出力される信号波形が２００μｓｅｃの表示分解能または２００μｓｅｃよりも劣る表示分解能で観察されたときに、垂直スタート信号によって規定される１フィールド期間における垂直有効表示期間が１フィールド期間の開始時寄りとなるように、フィールド反転駆動方式でアクティブマトリクス駆動の制御を行う。
【０００８】
本開示の一実施形態に係る電子機器は、表示装置を備えている。表示装置は、電気光学素子と、電気光学素子の駆動を制御する制御回路とを有している。制御回路は、当該制御回路から出力される信号波形が２００μｓｅｃの表示分解能または２００μｓｅｃよりも劣る表示分解能で観察されたときに、垂直スタート信号によって規定される１フィールド期間における垂直有効表示期間が１フィールド期間の開始時寄りとなるように、フィールド反転駆動方式でアクティブマトリクス駆動の制御を行う。
【０００９】
本開示の一実施形態に係る投射型表示装置は、照明光学系と、照明光学系からの光を変調することで画像光を生成する複数の電気光学素子と、複数の電気光学素子の駆動を制御する制御回路と、複数の電気光学素子で生成された画像光を投射する投影光学系とを備えている。制御回路は、当該制御回路から出力される信号波形が２００μｓｅｃの表示分解能または２００μｓｅｃよりも劣る表示分解能で観察されたときに、垂直スタート信号によって規定される１フィールド期間における垂直有効表示期間が１フィールド期間の開始時寄りとなるように、フィールド反転駆動方式でアクティブマトリクス駆動の制御を行う。
【００１０】
本開示の一実施形態に係る制御回路、表示装置、電子機器および投射型表示装置では、制御回路から出力される信号波形が２００μｓｅｃの表示分解能または２００μｓｅｃよりも劣る表示分解能で観察されたときに、垂直有効表示期間が１フィールド期間の開始時寄りとなるように、フィールド反転駆動方式でアクティブマトリクス駆動の制御が行われる。これにより、従前のフィールド反転駆動方式でアクティブマトリクス駆動の制御が行われた場合と比べて、１フィールド期間におけるリーク量の面内分布がより均一化する。
【００１１】
本開示の一実施形態に係る制御回路、表示装置、電子機器および投射型表示装置によれば、１フィールド期間におけるリーク量の面内分布がより均一化するようにしたので、シェーディングおよびまだら模様が緩和される。その結果、フィールド反転駆動において、電流リークに起因する画質の劣化を抑制することができる。なお、本技術の効果は、ここに記載された効果に必ずしも限定されず、本明細書中に記載されたいずれの効果であってもよい。
【図面の簡単な説明】
【００１２】
【図１】本開示の第１の実施の形態に係る表示装置の概略構成の一例を表す図である。
【図２】表示パネルモジュールの概略構成の一例を表す図である。
【図３】水平駆動回路の回路構成の一例を表す図である。
【図４】コントローラによる点順次駆動の一例について説明するための波形図である。
【図５】１フィールド期間について説明するための波形図である。
【図６】１水平期間について説明するための波形図である。
【図７】水平駆動回路の回路構成の他の例を表す図である。
【図８】コントローラによる線順次駆動の一例について説明するための波形図である。
【図９】フィールド反転駆動の一例について説明するための模式図である。
【図１０】フィールド反転駆動の一例について説明するための模式図である。
【図１１】フィールド反転駆動の一例について説明するための模式図である。
【図１２】比較例に係るフィールド反転駆動の一例について説明するための波形図である。
【図１３】比較例に係るフィールド反転駆動の一例について説明するための波形図である。
【図１４】比較例に係るフィールド反転駆動によって生じるシェーディングおよびまだら模様の一例を表す図である。
【図１５】比較例に係るフィールド反転駆動の一例について説明するための波形図である。
【図１６】本実施の形態のフィールド反転駆動の一例について説明するための波形図である。
【図１７】本実施の形態のフィールド反転駆動の一例について説明するための波形図である。
【図１８】本実施の形態の表示装置における表示画面の一例を表す図である。
【図１９Ａ】有効表示期間およびブランキング期間の一例について説明するための波形図である。
【図１９Ｂ】図１９Ａの波形図の拡大図である。
【図２０Ａ】有効表示期間およびブランキング期間の一例について説明するための波形図である。
【図２０Ｂ】図２０Ａの波形図の拡大図である。
【図２１】有効表示期間およびブランキング期間の一例について説明するための模式図である。
【図２２】有効表示期間およびブランキング期間の一例について説明するための模式図である。
【図２３】有効表示期間およびブランキング期間の一例について説明するための模式図である。
【図２４】有効表示期間およびブランキング期間の一例について説明するための模式図である。
【図２５】有効表示期間およびブランキング期間の一例について説明するための模式図である。
【図２６】有効表示期間およびブランキング期間の一例について説明するための模式図である。
【図２７】有効表示期間およびブランキング期間の一例について説明するための模式図である。
【図２８】有効表示期間およびブランキング期間の一例について説明するための模式図である。
【図２９】有効表示期間およびブランキング期間の一例について説明するための模式図である。
【図３０】有効表示期間およびブランキング期間の一例について説明するための模式図である。
【図３１】有効表示期間およびブランキング期間の一例について説明するための模式図である。
【図３２】有効表示期間およびブランキング期間の一例について説明するための模式図である。
【図３３】本実施の形態の表示装置における表示画面の一例を表す図である。
【図３４】有効表示期間およびブランキング期間の一例について説明するための模式図である。
【図３５】図１の表示装置の概略構成の一変形例を表す図である。
【図３６】図３５の表示装置における表示パネルモジュールの概略構成の一例を表す図である。
【図３７】水平駆動回路およびプリチャージ回路の回路構成の一例を表す図である。
【図３８】水平駆動回路およびプリチャージ回路の回路構成の一例を表す図である。
【図３９】フィールド反転駆動の一例について説明するための波形図である。
【図４０】本開示の第２の実施の形態に係る電子機器の斜視構成の一例を表す図である。
【図４１】本開示の第３の実施の形態に係る電子機器の斜視構成の一例を表す図である。
【図４２】本開示の第４の実施の形態に係るプロジェクタの概略構成の一例を表す図である。
【発明を実施するための形態】
【００１３】
以下、開示を実施するための形態について、図面を参照して詳細に説明する。なお、説明は以下の順序で行う。
１．第１の実施の形態（表示装置）
プリチャージ回路が省略されている例（図１〜図３３）
２．第１の実施の形態の変形例（表示装置）
変形例Ｂ：１Ｆ中にリフレッシュ書き込みが行われる例
（図３４、図３５）
変形例Ａ：プリチャージ回路が設けられている例（図３６〜図３９）
３．第３の実施の形態（電子機器）
第１の実施の形態およびその変形例に係る表示装置が電子機器に
用いられている例（図４０）
４．第４の実施の形態（電子機器）
第１の実施の形態およびその変形例に係る表示装置が電子機器に
用いられている例（図４１）
５．第５の実施の形態（プロジェクタ）
第１の実施の形態およびその変形例に係る表示装置がプロジェクタに用いられている例（図４２）
【００１４】
＜１．第１の実施の形態＞
[構成]
図１は、本開示の第１の実施の形態に係る表示装置１の概略構成の一例を表したものである。表示装置１は、３板式のプロジェクタ（投射型表示装置）のライトバルブとして適用可能なものである。表示装置１は、例えば、画素アレイ部１０、コントローラ２０および液晶ドライバ３０を備えている。画素アレイ部１０は、透過型となっていてもよいし、反射型となっていてもよい。なお、画素アレイ部１０が透過型となっている場合には、表示装置１は、必要に応じて、画素アレイ部１０の背後に、図示しない光源を備えていてもよい。表示装置１は、本開示の「表示装置」の一具体例に相当する。コントローラ２０は、本開示の「制御回路」の一具体例に相当する。
【００１５】
（画素アレイ部１０）
画素アレイ部１０は、例えば、ノーマリーブラックの透過率特性または反射率特性となっている。ここで、ノーマリーブラックとは、電圧がかかっていない時に透過率あるいは反射率が最小となり 、黒表示になる光学特性を指している。なお、画素アレイ部１０は、例えば、ノーマリーホワイトの透過率特性または反射率特性となっていてもよい。ここで、ノーマリーホワイトとは、電圧がかかっていない時に透過率あるいは反射率が最大となり、白表示になる光学特性を指している。画素アレイ部１０は、電圧印加により光の偏光状態を電気的に変えることで画像光を生成するものである。
【００１６】
図２は、表示パネルモジュール４０の概略構成の一例を表したものである。表示装置１は、表示パネルモジュール４０を備えている。表示パネルモジュール４０は、例えば、ガラス板または樹脂板などからなる基板上に、画素アレイ部１０および液晶ドライバ３０が設けられた表示パネル４１を備えている。表示パネルモジュール４０は、例えば、さらに、表示パネル４１上の液晶ドライバ３０に連結されたＦＰＣ（ Flexible Printed Circuits）４２と、ＦＰＣ４２に連結された制御基板４３とを備えている。制御基板４３は、液晶ドライバ３０を介して画素アレイ部１０を制御するものであり、例えば、コントローラ２０を有している。コントローラ２０は、例えば、ＩＣなどで構成されている。なお、コントローラ２０は、ＦＰＣ４２上に設けられたり、表示パネルモジュール４０の基板上に設けられたりしていてもよい。
【００１７】
画素アレイ部１０は、行方向に延在する複数の走査線ＷＳと、列方向に延在する複数の信号線Ｓｉｇと、走査線ＷＳと信号線Ｓｉｇとが互いに交差する箇所ごとに１つずつ設けられた複数の画素１１とを有している。各画素１１は、例えば、液晶セルＣＬと、走査線ＷＳから入力される信号に基づいて信号線Ｓｉｇの電圧をサンプリングするとともに液晶セルＣＬに書き込む画素トランジスタＴｒと、液晶セルＣＬに並列接続された容量素子Ｃｓとを有している。
【００１８】
画素トランジスタＴｒは、例えば、薄膜トランジスタ（ＴＦＴ: Thin Film Transistor）によって構成されている。液晶セルＣＬは、例えば、液晶層と、液晶層を挟み込む画素電極および対向電極とを含んで構成されている。液晶セルＣＬは、さらに、例えば、偏光板を含んで構成されていてもよい。液晶セルＣＬでは、画素電極が画素トランジスタＴｒのソースまたはドレインに接続され、対向電極が、後述のＶＣＯＭ回路２４に接続されている。液晶セルＣＬの表示状態は、例えば、ＴＮ（Twisted Nematic）モード、ＶＡ(Vertical Alignment)モード、ＩＰＳ(In Plane Switching)モード、ＦＦＳ（Fringe Field Switching）モード、ＳＴＮ（Super Twisted Nematic）モード、または、ＥＣＢ（Electrically Controlled Birefringence）モードとなっている。容量素子Ｃｓでは、一端が、液晶セルＣＬの画素電極に接続され、他端が、液晶セルＣＬの画素電極、または、液晶セルＣＬの画素電極とは異なる電位の部位に接続されている。
【００１９】
（液晶ドライバ３０）
液晶ドライバ３０は、各画素１１をアクティブマトリクス駆動することにより、外部から入力された映像信号に基づく画像光を画素アレイ部１０から生成させる。液晶ドライバ３０は、複数の走査線ＷＳに接続された垂直駆動回路３１と、複数の信号線に接続された水平駆動回路３２とを有している。
【００２０】
図３は、水平駆動回路３２の回路構成の一例を表したものである。図４は、コントローラ２０による点順次駆動の一例について説明するための波形図である。図３、図４では、複数の信号線Ｓｉｇが、複数のグループ（例えば４１ユニット）に分けられており、各グループには、複数の（例えば４８相）の信号線Ｓｉｇが割り当てられている。つまり、図３、図４では、４８相×４１ユニット＝１９６８ラインの信号線Ｓｉｇが設けられている。なお、水平駆動回路３２は、図３に記載の構成に限定されるものではない。
【００２１】
水平駆動回路３２は、コントローラ２０から供給される制御信号に基づいて作動し、信号電圧Ｖｓｉｇを１ライン分ずつ、各信号線Ｓｉｇを介して画素アレイ部１０にパラレル出力する。信号電圧Ｖｓｉｇは、外部から入力された映像信号ＤＡ（後述）の階調に応じた波高値もしくはパルス幅を有している。垂直駆動回路３１は、コントローラ２０から供給される制御信号に基づいて作動し、各画素１１を線順次に走査する駆動パルスを、各走査線ＷＳを介して画素アレイ部１０にパラレル出力する。
【００２２】
水平駆動回路３２は、例えば、信号線Ｓｉｇのグループごとに１つずつ割り当てられた複数のシフトレジスタＳＲ（ＳＲ（ａ１），ＳＲ（ａ２）・・・，ＳＲ（ａ４１））と、信号線Ｓｉｇの各グループにおいて信号線Ｓｉｇごとに１つずつスイッチが割り当てられた複数のスイッチ素子ＳＷａとを含んで構成されている。各シフトレジスタＳＲ（ａ１），ＳＲ（ａ２）・・・，ＳＲ（ａ４１）では、出力端が、対応するグループ内の各スイッチ素子ＳＷａのオンオフ制御端子に接続され、入力端が、ＦＰＣ４２を介してコントローラ２０に接続されている。各スイッチ素子ＳＷａでは、一端が各信号線Ｓｉｇに１つずつ接続され、他端が、ＦＰＣ４２を介してコントローラ２０に接続されている。水平駆動回路３２は、例えば、コントローラ２０から供給される制御信号に基づいて、各シフトレジスタＳＲから制御信号ＳＲが、対応するグループ内の各スイッチ素子ＳＷａのオンオフ制御端子に、順次、出力されることにより、各グループから、対応する各信号線Ｓｉｇに、信号電圧Ｖｓｉｇを順次、出力する。
【００２３】
（コントローラ２０）
コントローラ２０は、液晶ドライバ３０に対して、各画素１１の、フィールド反転駆動方式によるアクティブマトリクス駆動の制御を行う。フィールド反転駆動方式については、後に詳述する。コントローラ２０は、信号処理回路３１、タイミング生成回路３２、反転回路３３、ＶＣＯＭ回路３４および電源生成回路２５を有している。
【００２４】
信号処理回路３１は、例えば、外部から入力されたデジタルの映像信号Ｄｉｎを、画素アレイ部１０用のアナログの映像信号ＤＡに変換し、変換した映像信号ＤＡを反転回路３３に出力する。信号処理回路３１は、さらに、例えば、映像信号Ｄｉｎから、同期信号Ｔｓを分離し、分離した同期信号Ｔｓをタイミング生成回路３２に出力する。タイミング生成回路３２は、例えば、同期信号Ｔｓに同期した水平スタート信号ＨＳＴおよび水平クロック信号ＨＣＫを形成して水平駆動回路３２に出力する。タイミング生成回路３２は、さらに、例えば、同期信号Ｔｓに同期した垂直スタート信号ＶＳＴおよび垂直クロック信号ＶＣＫを形成して垂直駆動回路３１に出力する。タイミング生成回路３２は、さらに、例えば、同期信号Ｔｓに同期した反転制御パルスを形成して反転回路３３に出力する。タイミング生成回路３２は、さらに、例えば、同期信号Ｔｓに同期した垂直クロック信号ＶＣＫを形成してＶＣＯＭ回路３４に出力する。反転回路３３は、反転制御パルスに応じた極性反転動作を行う。反転回路３３は、映像信号ＤＡから、１フィールド期間ごとに極性反転した信号電圧Ｖｓｉｇを形成する。反転回路３３は、形成した信号電圧Ｖｓｉｇを水平駆動回路３２に出力する。電源生成回路２５は、信号処理回路２１やＶＣＯＭ回路２４等で必要となる電圧を生成し、信号処理回路２１やＶＣＯＭ回路２４に供給するものである。
【００２５】
ここで、１フィールド期間は、例えば、図５に示したように、垂直スタート信号ＶＳＴによって規定される期間である。１フィールド期間の開始時は、垂直スタート信号ＶＳＴの立ち上がり時に対応し、１フィールド期間の終了時は、１フィールド期間が開始された後に最初に生成される垂直スタート信号ＶＳＴの立ち上がり時に対応する。なお、１フィールド期間が、コモン電圧Ｖｃｏｍのパルス波形によって規定された期間であってもよい。この場合、１フィールド期間は、コモン電圧Ｖｃｏｍの立ち上がり時から立ち下がり時までの期間、または、コモン電圧Ｖｃｏｍの立ち下がり時から立ち上がり時までの期間に対応する。
【００２６】
１フィールド期間は、信号電圧Ｖｓｉｇが画素アレイ部１０に印加される有効表示期間Ｔａと、有効表示期間Ｔａの前および後のうち少なくとも一方に設けられるブランキング期間Ｔｂとを含んで構成されている。本実施の形態では、１フィールド期間内に１つだけ有効表示期間Ｔａが設けられている。有効表示期間Ｔａでは、全ライン分の信号電圧Ｖｓｉｇが、水平駆動回路３２から各信号線Ｓｉｇに対して、１ライン分の信号電圧Ｖｓｉｇごとに、垂直クロック信号ＶＣＫに同期して、順次、出力される。ブランキング期間Ｔｂは、画素アレイ部１０に映像が表示されない期間であり、種々の信号処理が行われる期間である。
【００２７】
水平スタート信号ＨＳＴは、例えば、図６に示したように、１水平期間（１Ｈ）を規定する。１水平期間（１Ｈ）の開始時は、水平スタート信号ＨＳＴの立ち上がり時に対応し、１水平期間の終了時は、１水平期間が開始された後に最初に生成される水平スタート信号ＨＳＴの立ち上がり時に対応する。有効表示期間Ｔａ内の各１水平期間は、信号電圧Ｖｓｉｇが画素アレイ部１０に印加される有効表示期間Ｔｃと、有効表示期間Ｔｃの前および後のうち少なくとも一方に設けられるブランキング期間Ｔｄとを含んで構成されている。有効表示期間Ｔｃでは、１ライン分の信号電圧Ｖｓｉｇが、水平駆動回路３２から各信号線Ｓｉｇに対して、水平クロック信号ＨＣＫに同期して、同時に出力されたり、信号線Ｓｉｇのグループごとに順次、出力されたりする。ブランキング期間Ｔｄは、画素アレイ部１０に映像が表示されない期間である。
【００２８】
ＶＣＯＭ回路３４は、所定のコモン電圧Ｖｃｏｍを生成して、液晶セルＣＬの対向電極に印加する。ＶＣＯＭ回路３４は、例えば、ＤＣ駆動を行う場合には、コモン電圧Ｖｃｏｍを一定にして、液晶セルＣＬの対向電極に印加する。ＶＣＯＭ回路３４は、例えば、ＡＣ駆動を行う場合には、垂直スタート信号ＶＳＴに同期してパルス変化するコモン電圧Ｖｃｏｍを、液晶セルＣＬの対向電極に印加する。このとき、ＶＣＯＭ回路３４は、１フィールドごとに極性反転したコモン電圧Ｖｃｏｍを形成し、形成したコモン電圧Ｖｃｏｍを、液晶セルＣＬの対向電極に印加する。
【００２９】
図７は、水平駆動回路３２の回路構成の他の例を表したものである。図８は、コントローラ２０による線順次駆動の一例について説明するための波形図である。図７、図８では、複数の信号線Ｓｉｇが、複数のグループ（例えば４１セル）に分けられており、各グループには、複数の（例えば４８チャンネル）の信号線Ｓｉｇが割り当てられている。つまり、図７、図８では、４８チャンネル×４１セル＝１９６８ラインの信号線Ｓｉｇが設けられている。なお、水平駆動回路３２は、図５に記載の構成に限定されるものではない。
【００３０】
水平駆動回路３２は、例えば、信号線Ｓｉｇのグループごとに１つずつ割り当てられた複数の選択線ＳＥＬ（ＳＥＬ（１），ＳＥＬ（２）・・・，ＳＥＬ（４１））と、信号線Ｓｉｇの各グループにおいて、信号線Ｓｉｇごとに１つずつ割り当てられた複数のスイッチ素子ＳＷｂとを含んで構成されている。対応する選択線ＳＥＬの互いに異なる複数のスイッチ素子ＳＷｂを１つのスイッチ群とし、全てのスイッチＳＷｂを、いずれかのスイッチ群に割り当てたときに、各スイッチ群では、一端が、互いに異なる信号線に接続され、他端が、共通の配線（以下、「共通配線」と称する。）に接続されている。各共通配線は、スイッチ群ごとに１本ずつ割り当てられており、互いに電気的に分離されている。各共通配線は、ＦＰＣ４２を介してコントローラ２０に接続されている。水平駆動回路３２は、例えば、コントローラ２０から供給される制御信号に基づいて、信号線Ｓｉｇのグループごとに、各スイッチＳＷｂが順次、オンされることにより、信号線Ｓｉｇのグループごとに、信号電圧Ｖｓｉｇを順次、出力する。
【００３１】
（フィールド反転駆動）
図９は、本実施の形態のフィールド反転駆動の一例について説明するための模式図である。フィールド反転駆動とは、１フィールド期間（１Ｆ）ごとに液晶セルＣＬのコモン電圧Ｖｃｏｍに対して極性を反転させた信号電圧Ｖｓｉｇを液晶セルＣＬに印加する駆動を指している。図９において、「＋」とは、信号電圧Ｖｓｉｇの極性がコモン電圧Ｖｃｏｍに対して正であることを指している。図９において、「−」とは、信号電圧Ｖｓｉｇの極性がコモン電圧Ｖｃｏｍに対して負であることを指している。つまり、「＋」「−」とは、信号電圧Ｖｓｉｇの、コモン電圧Ｖｃｏｍに対する相対的な大小関係を表したものである。
【００３２】
図９では、図９の左上から反時計まわりに移動する方向に、時間が経過しており、時刻ｔ１、ｔ２、ｔ３、ｔ４、ｔ５、ｔ６の順に時間が経過している。時刻ｔ１から時刻ｔ４までの期間が１フィールド期間に対応しており、時刻ｔ４から時刻ｔ１までの期間が１フィールド期間に対応している。まず、時刻ｔ１では、１画面全体において、コモン電圧Ｖｃｏｍに対する信号電圧Ｖｓｉｇの極性が正となっている。時刻ｔ２では、１画面中の最上段のラインにおいて、コモン電圧Ｖｃｏｍに対する信号電圧Ｖｓｉｇの極性が正から負に変位している。時刻ｔ３では、１画面中の上から２段目、３段目のラインにおいて、コモン電圧Ｖｃｏｍに対する信号電圧Ｖｓｉｇの極性が正から負に変位している。時刻ｔ４では、１画面全体において、コモン電圧Ｖｃｏｍに対する信号電圧Ｖｓｉｇの極性が負となっている。時刻ｔ５では、１画面中の最上段のラインにおいて、コモン電圧Ｖｃｏｍに対する信号電圧Ｖｓｉｇの極性が負から正に変位している。時刻ｔ６では、１画面中の上から２段目、３段目のラインにおいて、コモン電圧Ｖｃｏｍに対する信号電圧Ｖｓｉｇの極性が負から正に変位している。このように、コモン電圧Ｖｃｏｍに対する信号電圧Ｖｓｉｇの極性が、１フィールド期間ごと１画面全体で正から負へ、負から正へ変化することをフィールド反転駆動と称する。
【００３３】
図１０は、本実施の形態のフィールド反転駆動の一例について説明するための模式図である。コントローラ２０は、例えば、図１０の矢印で示したように、フィールド反転駆動の制御を行う際に、水平方向において常に特定の方向に向かって点順次駆動を行ってもよい。
【００３４】
具体的には、まず、時刻ｔ１では、コントローラ２０は、１画面全体において、コモン電圧Ｖｃｏｍに対する信号電圧Ｖｓｉｇの極性が正となるように、画素電圧Ｖｐｉｘを制御するとともに、水平方向の左から右に向かって点順次駆動を行う。時刻ｔ２では、コントローラ２０は、１画面中の最上段のラインにおいて、コモン電圧Ｖｃｏｍに対する信号電圧Ｖｓｉｇの極性が正から負となるように、画素電圧Ｖｐｉｘを制御するとともに、水平方向の左から右に向かって点順次駆動を行う。時刻ｔ３では、コントローラ２０は、１画面中の上から２段目、３段目のラインにおいて、コモン電圧Ｖｃｏｍに対する信号電圧Ｖｓｉｇの極性が正から負に変位するように、画素電圧Ｖｐｉｘを制御するとともに、水平方向の左から右に向かって点順次駆動を行う。時刻ｔ４では、コントローラ２０は、１画面全体において、コモン電圧Ｖｃｏｍに対する信号電圧Ｖｓｉｇの極性が負となるように、画素電圧Ｖｐｉｘを制御するとともに、１画面中の下から１段目、２段目のラインにおいて、水平方向の左から右に向かって点順次駆動を行う。時刻ｔ５では、コントローラ２０は、１画面中の最上段のラインにおいて、コモン電圧Ｖｃｏｍに対する信号電圧Ｖｓｉｇの極性が負から正に変位するように、画素電圧Ｖｐｉｘを制御するとともに、水平方向の左から右に向かって点順次駆動を行う。時刻ｔ６では、コントローラ２０は、１画面中の上から２段目、３段目のラインにおいて、コモン電圧Ｖｃｏｍに対する信号電圧Ｖｓｉｇの極性が負から正に変位するように、画素電圧Ｖｐｉｘを制御するとともに、水平方向の左から右に向かって点順次駆動を行う。
【００３５】
図１１は、本実施の形態のフィールド反転駆動の一例について説明するための模式図である。コントローラ２０は、例えば、図１１の矢印で示したように、フィールド反転駆動の制御を行う際に、１フィールド期間ごとに、水平方向の点順次駆動の方向を変えてもよい。
【００３６】
具体的には、まず、時刻ｔ１では、コントローラ２０は、１画面全体において、コモン電圧Ｖｃｏｍに対する信号電圧Ｖｓｉｇの極性が正となるように、画素電圧Ｖｐｉｘを制御するとともに、水平方向の左から右に向かって点順次駆動を行う。時刻ｔ２では、コントローラ２０は、１画面中の最上段のラインにおいて、コモン電圧Ｖｃｏｍに対する信号電圧Ｖｓｉｇの極性が正から負となるように、画素電圧Ｖｐｉｘを制御するとともに、水平方向の右から左に向かって点順次駆動を行う。時刻ｔ３では、コントローラ２０は、１画面中の上から２段目、３段目のラインにおいて、コモン電圧Ｖｃｏｍに対する信号電圧Ｖｓｉｇの極性が正から負に変位するように、画素電圧Ｖｐｉｘを制御するとともに、水平方向の右から左に向かって点順次駆動を行う。時刻ｔ４では、コントローラ２０は、１画面全体において、コモン電圧Ｖｃｏｍに対する信号電圧Ｖｓｉｇの極性が負となるように、画素電圧Ｖｐｉｘを制御するとともに、１画面中の下から１段目、２段目のラインにおいて、水平方向の右から左に向かって点順次駆動を行う。時刻ｔ５では、コントローラ２０は、１画面中の最上段のラインにおいて、コモン電圧Ｖｃｏｍに対する信号電圧Ｖｓｉｇの極性が負から正に変位するように、画素電圧Ｖｐｉｘを制御するとともに、水平方向の左から右に向かって点順次駆動を行う。時刻ｔ６では、コントローラ２０は、１画面中の上から２段目、３段目のラインにおいて、コモン電圧Ｖｃｏｍに対する信号電圧Ｖｓｉｇの極性が負から正に変位するように、画素電圧Ｖｐｉｘを制御するとともに、水平方向の左から右に向かって点順次駆動を行う。
【００３７】
次に、本実施の形態のフィールド反転駆動を、比較例に係るフィールド反転駆動と対比して説明する。最初に、比較例に係るフィールド反転駆動について説明したのち、本実施の形態のフィールド反転駆動について説明する。
【００３８】
図１２、図１３は、比較例に係るフィールド反転駆動の一例について説明するための波形図である。図１２は、比較例に係るコントローラが、液晶セルの対向電極をＤＣ駆動するための制御を行ったときの波形図である。図１３は、比較例に係るコントローラが、液晶セルの対向電極をＡＣ駆動するための制御を行ったときの波形図である。
【００３９】
図１２、図１３の左側の３つの波形図では、横軸が時間となっており、縦軸が電圧となっている。図１２、図１３の右側の３つの波形図では、横軸が時間となっており、縦軸が画素電圧Ｖｐｉｘ（＝信号電圧Ｖｓｉｇ−コモン電圧Ｖｃｏｍ）となっている。図１２、図１３において、一番上の２つの図は、図９〜図１１の「１１ａ」の箇所に位置する画素１１に印加される信号の波形図である。図１２、図１３において、中央の２つの図は、図９〜図１１の「１１ｂ」の箇所に位置する画素１１に印加される信号の波形図である。図１２、図１３において、一番下の２つの図は、図９〜図１１の「１１ｃ」の箇所に位置する画素１１に印加される信号の波形図である。
【００４０】
画面上部の画素１１ａにおいて、コモン電圧Ｖｃｏｍに対する信号電圧Ｖｓｉｇの極性が正から負に変位したとき（時刻ｔ１から時刻ｔ２に移行したとき）、画面中央の画素１１ｂおよび画面下部の画素１１ｃでは、画素トランジスタＴｒのソース・ドレイン間には、大きな電位差が発生する。そのため、画素１１ｂ，１１ｃでは、画素トランジスタＴｒにリーク電流が流れる。このとき、画素１１ｂ，１１ｃの画素電圧Ｖｐｉｘは、画素トランジスタＴｒによる電流リークによって、時間の経過とともに徐々に減少する（図中で丸で囲んだ箇所を参照）。リーク期間は、画面下部の画素１１ｃの方が画面中央の画素１１ｂよりも長く、リーク期間が長い分だけ、リーク量が、画面下部の画素１１ｃの方が画面中央の画素１１ｂよりも大きい。特に、画面下部の画素１１ｃでは、画素電圧Ｖｐｉｘが所望の電圧に設定された直後から、電流リークが生じており、リーク量が非常に大きい。このように、比較例では、画面上部、画面中央部、画面下部で、リーク期間およびリーク量が大きく異なる。さらに、画素トランジスタＴｒの特性が画素１１ごとにばらついている。そのため、リーク量が画面上下方向だけでなく、画素１１ごとに異なる。その結果、例えば、図１４に示したように、画面中央から下方にかけて、シェーディングが発生するとともに、まだら模様が発生し、画質が劣化する。
【００４１】
次に、このような問題が起こる原因について考察する。図１５は、比較例における有効表示期間Ｔｅおよびブランキング期間Ｔｆの一例について表したものである。図１５において、横軸は時間である。図１５において、横軸の表示分解能は、１フィールド期間が１／６０ｓｅｃ（≒１６．７ｍｓｅｃ）となっているとき、４００μｓｅｃ（２００μｓｅｃよりも劣る表示分解能）となっている。図１５において、横軸の表示分解能は、１フィールド期間が１／１２０ｓｅｃ（≒８．３ｍｓｅｃ）となっているとき、２００μｓｅｃとなっている。図１５において、横軸の表示分解能は、１フィールド期間が１／１８０ｓｅｃ（≒５．６ｍｓｅｃ）となっているとき、２００μｓｅｃとなっている。また、図１５において、横軸の表示分解能は、１フィールド期間が１／２４０ｓｅｃ（≒４．２ｍｓｅｃ）となっているとき、１００μｓｅｃとなっている。図１５において、横軸の表示分解能は、１フィールド期間が１／５０ｓｅｃ（≒２０．０ｍｓｅｃ）となっているとき、５００μｓｅｃ（２００μｓｅｃよりも劣る表示分解能）となっている。図１５において、横軸の表示分解能は、１フィールド期間が１／１００ｓｅｃ（≒２０．０ｍｓｅｃ）となっているとき、３００μｓｅｃ（２００μｓｅｃよりも劣る表示分解能）となっている。図１５において、横軸の表示分解能は、１フィールド期間が１／１５０ｓｅｃ（≒６．７ｍｓｅｃ）となっているとき、２００μｓｅｃとなっている。また、図１５において、横軸の表示分解能は、１フィールド期間が１／２００ｓｅｃ（≒６．７ｍｓｅｃ）となっているとき、２００μｓｅｃとなっている。
【００４２】
表示分解能とは、オシロスコープなどで波形が計測され、ディスプレイに表示されたときに、ディスプレイ中で波形が識別される能力を表すものである。例えば、横軸の表示分解能が１００μｓｅｃとなっているとき、１００μｓｅｃ未満のパルスは１本の線で表される。また、例えば、横軸の表示分解能が１００μｓｅｃとなっているとき、間隙が１００μｓｅｃ未満の２つのパルスは、１本の線、または、間隙の無い２つのパルスで表される。
【００４３】
通常、有効表示期間Ｔｅは、高輝度化やタイミングマージン確保の観点から、１フィールド期間のほとんどを占めており、一般的には９８％程度を占めている。つまり、ブランキング期間Ｔｆは、１フィールド期間の２％程度を占めている。従って、１フィールド期間が１／６０ｓｅｃのとき、１フィールド期間全体に占めるブランキング期間Ｔｆは、３３３μｓｅｃ程度である。１フィールド期間が１／１２０ｓｅｃのとき、１フィールド期間全体に占めるブランキング期間Ｔｆは、１６７μｓｅｃ程度である。１フィールド期間が１／１８０ｓｅｃのとき、１フィールド期間全体に占めるブランキング期間Ｔｆは、１１１μｓｅｃ程度である。また、１フィールド期間が１／２４０ｓｅｃのとき、１フィールド期間全体に占めるブランキング期間Ｔｆは、８３μｓｅｃ程度である。１フィールド期間が１／５０ｓｅｃのとき、１フィールド期間全体に占めるブランキング期間Ｔｆは、４００μｓｅｃ程度である。１フィールド期間が１／１００ｓｅｃのとき、１フィールド期間全体に占めるブランキング期間Ｔｆは、２００μｓｅｃ程度である。１フィールド期間が１／１５０ｓｅｃのとき、１フィールド期間全体に占めるブランキング期間Ｔｆは、１３３μｓｅｃ程度である。また、１フィールド期間が１／２００ｓｅｃのとき、１フィールド期間全体に占めるブランキング期間Ｔｆは、１００μｓｅｃ程度である。
【００４４】
そのため、１フィールド期間が１／６０ｓｅｃとなっている場合に、横軸の表示分解能が４００μｓｅｃとなっているときには、ブランキング期間Ｔｆは横軸の表示分解能未満である。従って、このときは、ブランキング期間Ｔｆは１本の線で表され、３３３μｓｅｃ程度の間隙を有する２つの有効表示期間Ｔｅは、間隙の無い２つの有効表示期間Ｔｅで表される。また、１フィールド期間が１／１２０ｓｅｃとなっている場合に、横軸の表示分解能が２００μｓｅｃとなっているときには、ブランキング期間Ｔｆは横軸の表示分解能未満である。従って、このときは、ブランキング期間Ｔｆは１本の線で表され、１６７μｓｅｃ程度の間隙を有する２つの有効表示期間Ｔｅは、間隙の無い２つの有効表示期間Ｔｅで表される。また、１フィールド期間が１／１８０ｓｅｃとなっている場合に、横軸の表示分解能が２００μｓｅｃとなっているときには、ブランキング期間Ｔｆは横軸の表示分解能未満である。従って、このときは、ブランキング期間Ｔｆは１本の線で表され、１１１μｓｅｃ程度の間隙を有する２つの有効表示期間Ｔｅは、間隙の無い２つの有効表示期間Ｔｅで表される。また、１フィールド期間が１／２４０ｓｅｃとなっている場合に、横軸の表示分解能が１００μｓｅｃとなっているときには、ブランキング期間Ｔｆは横軸の表示分解能未満である。従って、このときは、ブランキング期間Ｔｆは１本の線で表され、８３μｓｅｃ程度の間隙を有する２つの有効表示期間Ｔｅは、間隙の無い２つの有効表示期間Ｔｅで表される。
【００４５】
また、１フィールド期間が概ね１／５０ｓｅｃとなっている場合に、横軸の表示分解能が５００μｓｅｃとなっているときには、ブランキング期間Ｔｆは横軸の表示分解能未満である。従って、このときは、ブランキング期間Ｔｆは１本の線で表され、４００μｓｅｃ程度の間隙を有する２つの有効表示期間Ｔｅは、間隙の無い２つの有効表示期間Ｔｅで表される。また、１フィールド期間が概ね１／１００ｓｅｃとなっている場合に、横軸の表示分解能が３００μｓｅｃとなっているときには、ブランキング期間Ｔｆは横軸の表示分解能未満である。従って、このときは、ブランキング期間Ｔｆは１本の線で表され、２００μｓｅｃ程度の間隙を有する２つの有効表示期間Ｔｅは、間隙の無い２つの有効表示期間Ｔｅで表される。また、１フィールド期間が概ね１／１５０ｓｅｃとなっている場合に、横軸の表示分解能が２００μｓｅｃとなっているときには、ブランキング期間Ｔｆは横軸の表示分解能未満である。従って、このときは、ブランキング期間Ｔｆは１本の線で表され、１３３μｓｅｃ程度の間隙を有する２つの有効表示期間Ｔｅは、間隙の無い２つの有効表示期間Ｔｅで表される。また、１フィールド期間が概ね１／２００ｓｅｃとなっている場合に、横軸の表示分解能が２００μｓｅｃとなっているときには、ブランキング期間Ｔｆは横軸の表示分解能未満である。従って、このときは、ブランキング期間Ｔｆは１本の線で表され、１００μｓｅｃ程度の間隙を有する２つの有効表示期間Ｔｅは、間隙の無い２つの有効表示期間Ｔｅで表される。
【００４６】
このように、比較例では、有効表示期間Ｔｅに対するブランキング期間Ｔｆの割合が非常に小さいことから、最下段の画素１１に対して所望の画素電圧Ｖｐｉｘが印加された直後に、コモン電圧Ｖｃｏｍに対する信号電圧Ｖｓｉｇの極性が負から正に変位する。その結果、画面中央から下方にかけて、シェーディングが発生するとともに、まだら模様が発生し、画質が劣化する。
【００４７】
次に、本実施の形態のフィールド反転駆動について説明する。図１６、図１７は、本実施の形態のフィールド反転駆動の一例について説明するための波形図である。図１６は、本実施の形態のコントローラ２０が、液晶セルＣＬの対向電極をＤＣ駆動するための制御を行ったときの波形図である。図１７は、本実施の形態のコントローラ２０が、液晶セルＣＬの対向電極をＡＣ駆動するための制御を行ったときの波形図である。
【００４８】
図１６、図１７の左側の３つの波形図では、横軸が時間となっており、縦軸が電圧となっている。図１６、図１７の右側の３つの波形図では、横軸が時間となっており、縦軸が画素電圧Ｖｐｉｘ（＝信号電圧Ｖｓｉｇ−コモン電圧Ｖｃｏｍ）となっている。図１６、図１７において、一番上の２つの図は、図９〜図１１の「１１ａ」の箇所に位置する画素１１に印加される信号の波形図である。図１６、図１７において、中央の２つの図は、図９〜図１１の「１１ｂ」の箇所に位置する画素１１に印加される信号の波形図である。図１６、図１７において、一番下の２つの図は、図９〜図１１の「１１ｃ」の箇所に位置する画素１１に印加される信号の波形図である。
【００４９】
本実施の形態では、コントローラ２０は、各１フィールド期間において、垂直方向の走査速度が、比較例に係る垂直方向の走査速度よりも速くなるように、フィールド反転駆動方式でアクティブマトリクス駆動の制御を行う。そのため、最下段の画素１１に対して所望の画素電圧Ｖｐｉｘが印加されてから、しばらく時間が経過した後に、コモン電圧Ｖｃｏｍに対する信号電圧Ｖｓｉｇの極性が負から正に変位する。その結果、画面上部、画面中央部、画面下部で、リーク期間およびリーク量の差が比較例と比べて小さくなる。これにより、例えば、図１８に示したように、シェーディングおよびまだら模様の発生する領域が、比較例と比べて画面下方にシフトし、さらに、シェーディングおよびまだら模様が、比較例と比べて目立ち難くなる。
【００５０】
次に、各１フィールド期間における垂直方向の走査速度の速さについて例示する。図１９Ａは、本実施の形態のコントローラ２０が液晶セルＣＬの対向電極をＤＣ駆動したときの、有効表示期間Ｔｅおよびブランキング期間Ｔｆの一例について表したものである。つまり、図１９Ａでは、コントローラ２０は、コモン電圧Ｖｃｏｍを固定電位にしつつフィールド反転駆動の制御を行う。図１９Ｂは、図１９Ａの波形図を拡大したものである。図２０Ａは、本実施の形態のコントローラ２０が液晶セルＣＬの対向電極をＡＣ駆動したときの、有効表示期間Ｔｅおよびブランキング期間Ｔｆの一例について表したものである。つまり、図２０Ａでは、コントローラ２０は、１フィールド期間ごとにコモン電圧Ｖｃｏｍが変化するようにフィールド反転駆動の制御を行う。図２０Ｂは、図２０Ａの波形図を拡大したものである。図１９Ａ、図１９Ｂ、図２０Ａ、図２０Ｂにおいて、横軸は時間である。図１９Ａ、図２０Ａにおいて、横軸の表示分解能は、１フィールド期間が１／６０ｓｅｃとなっているとき、４００μｓｅｃ（２００μｓｅｃよりも劣る表示分解能）となっている。また、図１９Ａ、図２０Ａにおいて、横軸の表示分解能は、１フィールド期間が１／１２０ｓｅｃとなっているとき、２００μｓｅｃとなっている。また、図１９Ａ、図２０Ａにおいて、横軸の表示分解能は、１フィールド期間が１／１８０ｓｅｃとなっているとき、２００μｓｅｃとなっている。また、図１９Ａ、図２０Ａにおいて、横軸の表示分解能は、１フィールド期間が１／２４０ｓｅｃとなっているとき、１００μｓｅｃとなっている。また、図１９Ａ、図２０Ａにおいて、横軸の表示分解能は、１フィールド期間が１／５０ｓｅｃとなっているとき、５００μｓｅｃ（２００μｓｅｃよりも劣る表示分解能）となっている。また、図１９Ａ、図２０Ａにおいて、横軸の表示分解能は、１フィールド期間が１／１００ｓｅｃとなっているとき、３００μｓｅｃ（２００μｓｅｃよりも劣る表示分解能）となっている。また、図１９Ａ、図２０Ａにおいて、横軸の表示分解能は、１フィールド期間が１／１５０ｓｅｃとなっているとき、２００μｓｅｃとなっている。また、図１９Ａ、図２０Ａにおいて、横軸の表示分解能は、１フィールド期間が１／２００ｓｅｃとなっているとき、２００μｓｅｃとなっている。図１９Ｂ、図２０Ｂにおいて、横軸の表示分解能は、１μｓｅｃとなっている。また、図２０Ａ、図２０Ｂにおいて、コモン電圧Ｖｃｏｍの立ち上がり時から立ち下がり時までの期間、または、コモン電圧Ｖｃｏｍの立ち下がり時から立ち上がり時までの期間が、１フィールド期間と一致している。
【００５１】
本実施の形態では、コントローラ２０は、有効表示期間Ｔａが１フィールド期間の開始時寄りとなるように、フィールド反転駆動方式でアクティブマトリクス駆動の制御を行う。そのため、各１フィールド期間において、垂直方向の走査速度が、比較例に係る垂直方向の走査速度よりも速い。その結果、有効表示期間Ｔａが有効表示期間Ｔｅよりも短く、ブランキング期間Ｔｂが１フィールド期間の２％よりも大きくなる。
【００５２】
コントローラ２０は、１フィールド期間が１／６０ｓｅｃのときであって、かつ、コントローラ２０から出力される信号波形が４００μｓｅｃの表示分解能（２００μｓｅｃよりも劣る表示分解能）で観察されたときに、有効表示期間Ｔａが１フィールド期間の開始時寄りとなるように、フィールド反転駆動方式でアクティブマトリクス駆動の制御を行う。具体的には、コントローラ２０は、１フィールド期間が１／６０ｓｅｃのとき、１フィールド期間全体に占めるブランキング期間Ｔｂが４００μｓｅｃよりも大きくなるように、フィールド反転駆動方式でアクティブマトリクス駆動の制御を行う。
【００５３】
コントローラ２０は、例えば、図２１（Ａ）、図２２（Ａ）に示したように、１フィールド期間が１／６０ｓｅｃのとき、有効表示期間Ｔａの後に続くブランキング期間Ｔｂが１／１２０ｓｅｃ（１フィールド期間の１／２）以上となるように、フィールド反転駆動方式でアクティブマトリクス駆動の制御を行ってもよい。このとき、有効表示期間Ｔａにおいて、水平駆動回路３２から各信号線Ｓｉｇに出力される信号電圧Ｖｓｉｇの出力タイミングは、例えば、１フィールド期間が１／１２０ｓｅｃであって、かつ有効表示期間Ｔｅが１フィールド期間にほぼ等しいとき（図２１（Ｂ）、図２２（Ｂ）参照）に、水平駆動回路３２から各信号線Ｓｉｇに出力される信号電圧Ｖｓｉｇの出力タイミングと等しくなっていてもよい。
【００５４】
コントローラ２０は、例えば、図２３（Ａ）、図２４（Ａ）に示したように、１フィールド期間が１／６０ｓｅｃのとき、有効表示期間Ｔａの後に続くブランキング期間Ｔｂが２／１８０ｓｅｃ（１フィールド期間の２／３）以上となるように、フィールド反転駆動方式でアクティブマトリクス駆動の制御を行ってもよい。このとき、有効表示期間Ｔａにおいて、水平駆動回路３２から各信号線Ｓｉｇに出力される信号電圧Ｖｓｉｇの出力タイミングは、例えば、１フィールド期間が１／１８０ｓｅｃであって、かつ有効表示期間Ｔｅが１フィールド期間にほぼ等しいとき（図２３（Ｃ）、図２４（Ｃ）参照）に、水平駆動回路３２から各信号線Ｓｉｇに出力される信号電圧Ｖｓｉｇの出力タイミングと等しくなっていてもよい。
【００５５】
コントローラ２０は、例えば、図２５（Ａ）、図２６（Ａ）に示したように、１フィールド期間が１／６０ｓｅｃのとき、有効表示期間Ｔａの後に続くブランキング期間Ｔｂが３／２４０ｓｅｃ（１フィールド期間の３／４）以上となるように、フィールド反転駆動方式でアクティブマトリクス駆動の制御を行ってもよい。このとき、有効表示期間Ｔａにおいて、水平駆動回路３２から各信号線Ｓｉｇに出力される信号電圧Ｖｓｉｇの出力タイミングは、例えば、１フィールド期間が１／２４０ｓｅｃであって、かつ有効表示期間Ｔｅが１フィールド期間にほぼ等しいとき（図２５（Ｄ）、図２６（Ｄ）参照）に、水平駆動回路３２から各信号線Ｓｉｇに出力される信号電圧Ｖｓｉｇの出力タイミングと等しくなっていてもよい。
【００５６】
コントローラ２０は、１フィールド期間が１／１２０ｓｅｃのときであって、かつ、コントローラ２０から出力される信号波形が２００μｓｅｃの表示分解能で観察されたときに、有効表示期間Ｔａが１フィールド期間の開始時寄りとなるように、フィールド反転駆動方式でアクティブマトリクス駆動の制御を行う。具体的には、コントローラ２０は、１フィールド期間が１／１２０ｓｅｃのとき、有効表示期間Ｔａの後に続くブランキング期間Ｔｆが２００μｓｅｃよりも大きくなるように、フィールド反転駆動方式でアクティブマトリクス駆動の制御を行う。
【００５７】
コントローラ２０は、例えば、図２３（Ｂ）、図２４（Ｂ）に示したように、１フィールド期間が１／１２０ｓｅｃのとき、有効表示期間Ｔａの後に続くブランキング期間Ｔｂが（１／１２０ｓｅｃ−１／１８０ｓｅｃ）（１フィールド期間の１／６）以上となるように、フィールド反転駆動方式でアクティブマトリクス駆動の制御を行ってもよい。このとき、有効表示期間Ｔａにおいて、水平駆動回路３２から各信号線Ｓｉｇに出力される信号電圧Ｖｓｉｇの出力タイミングは、例えば、１フィールド期間が１／１８０ｓｅｃであって、かつ有効表示期間Ｔｅが１フィールド期間にほぼ等しいとき（図２３（Ｃ）、図２４（Ｃ）参照）に、水平駆動回路３２から各信号線Ｓｉｇに出力される信号電圧Ｖｓｉｇの出力タイミングと等しくなっていてもよい。
【００５８】
コントローラ２０は、例えば、図２５（Ｂ）、図２６（Ｂ）に示したように、１フィールド期間が１／１２０ｓｅｃのとき、有効表示期間Ｔａの後に続くブランキング期間Ｔｂが１／２４０ｓｅｃ（１フィールド期間の１／２）以上となるように、フィールド反転駆動方式でアクティブマトリクス駆動の制御を行ってもよい。このとき、有効表示期間Ｔａにおいて、水平駆動回路３２から各信号線Ｓｉｇに出力される信号電圧Ｖｓｉｇの出力タイミングは、例えば、１フィールド期間が１／２４０ｓｅｃであって、かつ有効表示期間Ｔｅが１フィールド期間にほぼ等しいとき（図２５（Ｄ）、図２６（Ｄ）参照）に、水平駆動回路３２から各信号線Ｓｉｇに出力される信号電圧Ｖｓｉｇの出力タイミングと等しくなっていてもよい。
【００５９】
コントローラ２０は、１フィールド期間が１／１８０ｓｅｃのときであって、かつ、コントローラ２０から出力される信号波形が２００μｓｅｃの表示分解能で観察されたときに、有効表示期間Ｔａが１フィールド期間の開始時寄りとなるように、フィールド反転駆動方式でアクティブマトリクス駆動の制御を行う。具体的には、コントローラ２０は、１フィールド期間が１／１８０ｓｅｃのとき、１フィールド期間全体に占めるブランキング期間Ｔｆが２００μｓｅｃよりも大きくなるように、フィールド反転駆動方式でアクティブマトリクス駆動の制御を行う。
【００６０】
コントローラ２０は、例えば、図２５（Ｃ）、図２６（Ｃ）に示したように、１フィールド期間が１／１８０ｓｅｃのとき、有効表示期間Ｔａの後に続くブランキング期間Ｔｂが（１／１８０ｓｅｃ−１／２４０ｓｅｃ）（１フィールド期間の１／１２）以上となるように、フィールド反転駆動方式でアクティブマトリクス駆動の制御を行ってもよい。このとき、有効表示期間Ｔａにおいて、水平駆動回路３２から各信号線Ｓｉｇに出力される信号電圧Ｖｓｉｇの出力タイミングは、例えば、１フィールド期間が１／２４０ｓｅｃであって、かつ有効表示期間Ｔｅが１フィールド期間にほぼ等しいとき（図２５（Ｄ）、図２６（Ｄ）参照）に、水平駆動回路３２から各信号線Ｓｉｇに出力される信号電圧Ｖｓｉｇの出力タイミングと等しくなっていてもよい。
【００６１】
コントローラ２０は、１フィールド期間が１／５０ｓｅｃのときであって、かつ、コントローラ２０から出力される信号波形が５００μｓｅｃの表示分解能（２００μｓｅｃよりも劣る表示分解能）で観察されたときに、有効表示期間Ｔａが１フィールド期間の開始時寄りとなるように、フィールド反転駆動方式でアクティブマトリクス駆動の制御を行う。具体的には、コントローラ２０は、１フィールド期間が１／５０ｓｅｃのとき、１フィールド期間全体に占めるブランキング期間Ｔｂが５００μｓｅｃよりも大きくなるように、フィールド反転駆動方式でアクティブマトリクス駆動の制御を行う。
【００６２】
コントローラ２０は、例えば、図２７（Ａ）、図２８（Ａ）に示したように、１フィールド期間が１／５０ｓｅｃのとき、有効表示期間Ｔａの後に続くブランキング期間Ｔｂが１／１００ｓｅｃ（１フィールド期間の１／２）以上となるように、フィールド反転駆動方式でアクティブマトリクス駆動の制御を行ってもよい。このとき、有効表示期間Ｔａにおいて、水平駆動回路３２から各信号線Ｓｉｇに出力される信号電圧Ｖｓｉｇの出力タイミングは、例えば、１フィールド期間が１／１００ｓｅｃであって、かつ有効表示期間Ｔｅが１フィールド期間にほぼ等しいとき（図２７（Ｂ）、図２８（Ｂ）参照）に、水平駆動回路３２から各信号線Ｓｉｇに出力される信号電圧Ｖｓｉｇの出力タイミングと等しくなっていてもよい。
【００６３】
コントローラ２０は、例えば、図２９（Ａ）、図３０（Ａ）に示したように、１フィールド期間が１／５０ｓｅｃのとき、有効表示期間Ｔａの後に続くブランキング期間Ｔｂが２／１５０ｓｅｃ（１フィールド期間の２／３）以上となるように、フィールド反転駆動方式でアクティブマトリクス駆動の制御を行ってもよい。このとき、有効表示期間Ｔａにおいて、水平駆動回路３２から各信号線Ｓｉｇに出力される信号電圧Ｖｓｉｇの出力タイミングは、例えば、１フィールド期間が１／１５０ｓｅｃであって、かつ有効表示期間Ｔｅが１フィールド期間にほぼ等しいとき（図２９（Ｃ）、図３０（Ｃ）参照）に、水平駆動回路３２から各信号線Ｓｉｇに出力される信号電圧Ｖｓｉｇの出力タイミングと等しくなっていてもよい。
【００６４】
コントローラ２０は、例えば、図３１（Ａ）、図３２（Ａ）に示したように、１フィールド期間が１／５０ｓｅｃのとき、有効表示期間Ｔａの後に続くブランキング期間Ｔｂが３／２００ｓｅｃ（１フィールド期間の３／４）以上となるように、フィールド反転駆動方式でアクティブマトリクス駆動の制御を行ってもよい。このとき、有効表示期間Ｔａにおいて、水平駆動回路３２から各信号線Ｓｉｇに出力される信号電圧Ｖｓｉｇの出力タイミングは、例えば、１フィールド期間が１／２００ｓｅｃであって、かつ有効表示期間Ｔｅが１フィールド期間にほぼ等しいとき（図３１（Ｄ）、図３２（Ｄ）参照）に、水平駆動回路３２から各信号線Ｓｉｇに出力される信号電圧Ｖｓｉｇの出力タイミングと等しくなっていてもよい。
【００６５】
コントローラ２０は、１フィールド期間が１／１００ｓｅｃのときであって、かつ、コントローラ２０から出力される信号波形が３００μｓｅｃの表示分解能で観察されたときに、有効表示期間Ｔａが１フィールド期間の開始時寄りとなるように、フィールド反転駆動方式でアクティブマトリクス駆動の制御を行う。具体的には、コントローラ２０は、１フィールド期間が１／１００ｓｅｃのとき、有効表示期間Ｔａの後に続くブランキング期間Ｔｆが３００μｓｅｃよりも大きくなるように、フィールド反転駆動方式でアクティブマトリクス駆動の制御を行う。
【００６６】
コントローラ２０は、例えば、図２９（Ｂ）、図３０（Ｂ）に示したように、１フィールド期間が１／１００ｓｅｃのとき、有効表示期間Ｔａの後に続くブランキング期間Ｔｂが（１／１００ｓｅｃ−１／１５０ｓｅｃ）（１フィールド期間の１／６）以上となるように、フィールド反転駆動方式でアクティブマトリクス駆動の制御を行ってもよい。このとき、有効表示期間Ｔａにおいて、水平駆動回路３２から各信号線Ｓｉｇに出力される信号電圧Ｖｓｉｇの出力タイミングは、例えば、１フィールド期間が１／１５０ｓｅｃであって、かつ有効表示期間Ｔｅが１フィールド期間にほぼ等しいとき（図２９（Ｃ）、図３０（Ｃ）参照）に、水平駆動回路３２から各信号線Ｓｉｇに出力される信号電圧Ｖｓｉｇの出力タイミングと等しくなっていてもよい。
【００６７】
コントローラ２０は、例えば、図３１（Ｂ）、図３２（Ｂ）に示したように、１フィールド期間が１／１００ｓｅｃのとき、有効表示期間Ｔａの後に続くブランキング期間Ｔｂが１／２００ｓｅｃ（１フィールド期間の１／２）以上となるように、フィールド反転駆動方式でアクティブマトリクス駆動の制御を行ってもよい。このとき、有効表示期間Ｔａにおいて、水平駆動回路３２から各信号線Ｓｉｇに出力される信号電圧Ｖｓｉｇの出力タイミングは、例えば、１フィールド期間が１／２００ｓｅｃであって、かつ有効表示期間Ｔｅが１フィールド期間にほぼ等しいとき（図３１（Ｄ）、図３２（Ｄ）参照）に、水平駆動回路３２から各信号線Ｓｉｇに出力される信号電圧Ｖｓｉｇの出力タイミングと等しくなっていてもよい。
【００６８】
コントローラ２０は、１フィールド期間が１／１５０ｓｅｃのときであって、かつ、コントローラ２０から出力される信号波形が２００μｓｅｃの表示分解能で観察されたときに、有効表示期間Ｔａが１フィールド期間の開始時寄りとなるように、フィールド反転駆動方式でアクティブマトリクス駆動の制御を行う。具体的には、コントローラ２０は、１フィールド期間が１／１５０ｓｅｃのとき、１フィールド期間全体に占めるブランキング期間Ｔｆが２００μｓｅｃよりも大きくなるように、フィールド反転駆動方式でアクティブマトリクス駆動の制御を行う。
【００６９】
コントローラ２０は、例えば、図３１（Ｃ）、図３２（Ｃ）に示したように、１フィールド期間が１／１５０ｓｅｃのとき、有効表示期間Ｔａの後に続くブランキング期間Ｔｂが（１／１５０ｓｅｃ−１／２００ｓｅｃ）（１フィールド期間の１／１２）以上となるように、フィールド反転駆動方式でアクティブマトリクス駆動の制御を行ってもよい。このとき、有効表示期間Ｔａにおいて、水平駆動回路３２から各信号線Ｓｉｇに出力される信号電圧Ｖｓｉｇの出力タイミングは、例えば、１フィールド期間が１／２００ｓｅｃであって、かつ有効表示期間Ｔｅが１フィールド期間にほぼ等しいとき（図３１（Ｄ）、図３２（Ｄ）参照）に、水平駆動回路３２から各信号線Ｓｉｇに出力される信号電圧Ｖｓｉｇの出力タイミングと等しくなっていてもよい。
【００７０】
このように、本実施の形態では、コントローラ２０から出力される信号波形が１フィールド期間の大きさに応じた所定の表示分解能で観察されたときに、１フィールド期間全体に占める有効表示期間Ｔａが１フィールド期間の開始時寄りとなるように、フィールド反転駆動方式でアクティブマトリクス駆動の制御が行われる。これにより、有効表示期間Ｔａに対するブランキング期間Ｔｆの割合が比較例と比べて非常に大きくなる。そのため、最下段の画素１１に対して所望の画素電圧Ｖｐｉｘが印加されてからしばらく経過した後に、コモン電圧Ｖｃｏｍに対する信号電圧Ｖｓｉｇの極性が負から正に変位するので、画面上部、画面中央部、画面下部で、リーク期間およびリーク量の差が比較例と比べて有意に小さくなる。その結果、例えば、図１８に示したように、シェーディングおよびまだら模様の発生する領域が、比較例と比べて、ユーザが直観的に認識することができる程度に画面下方にシフトする。さらに、シェーディングおよびまだら模様が、比較例と比べて、ユーザが直観的に認識することができる程度に目立ち難くなる。従って、本実施の形態では、フィールド反転駆動において、電流リークに起因する画質の劣化を有意に抑制することができる。
【００７１】
また、本実施の形態において、コントローラ２０が、１フィールド期間全体に占めるブランキング期間Ｔｂがｍｓｅｃオーダとなるように、フィールド反転駆動方式でアクティブマトリクス駆動の制御を行った場合には、例えば、図３３に示したように、シェーディングおよびまだら模様の発生する領域が、ほとんどなくなる。従って、本実施の形態において、１フィールド期間全体に占めるブランキング期間Ｔｂがｍｓｅｃオーダとなるように、フィールド反転駆動方式でアクティブマトリクス駆動の制御が行われた場合には、フィールド反転駆動において、電流リークに起因する画質の劣化をほとんどなくすことができる。
【００７２】
＜２．第１の実施の形態の変形例＞
[変形例Ａ]
上記実施の形態では、１フィールド期間内に１つだけ有効表示期間Ｔａが設けられていた。しかし、例えば、図３４に示したように、有効表示期間Ｔａが、１フィールド期間の１／２よりも短い場合には、１フィールド期間内に２つの有効表示期間Ｔａが設けられていてもよい。ただし、本変形例では、コントローラ２０は、コントローラ２０から出力される信号波形が１フィールド期間の大きさに応じた所定の表示分解能で観察されたときに、１フィールド期間全体に占める２つの有効表示期間Ｔａが１フィールド期間の開始時寄りとなるように、フィールド反転駆動方式でアクティブマトリクス駆動の制御が行われる。
【００７３】
[変形例Ｂ]
図３５は、上記実施の形態の表示装置１の概略構成の一変形例を表したものである。図３６は、本変形例の表示パネルモジュール４０の概略構成の一例を表したものである。本変形例では、液晶ドライバ３０は、プリチャージ回路３３をさらに有している。プリチャージ回路３３は、画素アレイ部１０をプリチャージするプリチャージ信号（所定の電圧）を生成し、画素アレイ部１０に印加するようになっている。プリチャージ回路３３は、表示パネルモジュール４０の基板４１上に形成されている。
【００７４】
図３７、図３８は、水平駆動回路３２およびプリチャージ回路３３の回路構成の一例を表したものである。プリチャージ回路３３は、水平駆動回路３２とともに、各信号線Ｓｉｇに接続されている。なお、図３１では、プリチャージ回路３３が、図３に記載の水平駆動回路３２とともに、各信号線Ｓｉｇに接続されている。図３２では、プリチャージ回路３３が、図４に記載の水平駆動回路３２とともに、各信号線Ｓｉｇに接続されている。
【００７５】
プリチャージ回路３３は、コントローラ２０から供給される制御信号に基づいて作動し、プリチャージ信号電圧Ｖｐｓｉｇを、各信号線Ｓｉｇを介して画素アレイ部１０にパラレル出力する。プリチャージ信号電圧Ｖｐｓｉｇは、例えば、図３９に示したように、プリチャージ信号電圧ＶｐｓｉｇＢと、プリチャージ信号電圧ＶｐｓｉｇＧ１と、プリチャージ信号電圧ＶｐｓｉｇＧ２とを含んでいる。プリチャージ信号電圧ＶｐｓｉｇＢは、各画素１１の対向電極の電圧のばらつきを減らすための信号電圧であり、信号電圧Ｖｓｉｇの大きさや極性に依らず固定値となっている。プリチャージ信号電圧ＶｐｓｉｇＧ１，ＶｐｓｉｇＧ２は、プリチャージ信号電圧ＶｐｓｉｇＢに続いて出力される信号電圧である。プリチャージ信号電圧ＶｐｓｉｇＧ１は、信号電圧Ｖｓｉｇの極性が正のときに、信号電圧Ｖｓｉｇが出力される直前に出力される信号電圧であり、信号電圧Ｖｓｉｇよりも少し低い電圧値となっている。プリチャージ信号電圧ＶｐｓｉｇＧ２は、信号電圧Ｖｓｉｇの極性が負のときに、信号電圧Ｖｓｉｇが出力される直前に出力される信号電圧であり、信号電圧Ｖｓｉｇよりも少し高い電圧値となっている。
【００７６】
本変形例では、信号電圧Ｖｓｉｇが印加される直前に、プリチャージ信号電圧ＶｐｓｉｇＢ，ＶｐｓｉｇＧ１、または、プリチャージ信号電圧ＶｐｓｉｇＢ，ＶｐｓｉｇＧ２が印加される。これにより、各画素１１における画素電圧Ｖｐｉｘのばらつきを低減することができるので、シェーディングの発生を抑制することができる。
【００７７】
＜３．第２の実施の形態＞
次に、本技術の第２の実施の形態に係る電子機器２について説明する。図４０は、本実施の形態に係る電子機器２の斜視構成例を表したものである。電子機器２は、例えば、板状の筐体の主面に表示面２Ａを備えた携帯端末である。電子機器２は、本技術の「電子機器」の一具体例に対応する。電子機器２は、例えば、表示面２Ａの位置に、上記実施の形態およびその変形例に係る表示装置１を備えている。本実施の形態では、表示装置１が設けられているので、上記第１の実施の形態と同様の効果を有している。
【００７８】
＜４．第３の実施の形態＞
次に、本技術の第３の実施の形態に係る電子機器３について説明する。図４１は、本実施の形態に係る電子機器３の概略構成例を表したものである。電子機器３は、例えば、折りたたみ可能な２枚の板状の筐体のうちの一方の筐体の主面に表示面３Ａを備えたノート型のパーソナルコンピュータである。電子機器３は、本技術の「電子機器」の一具体例に対応する。電子機器３は、例えば、表示面３Ａの位置に、上記実施の形態およびその変形例に係る表示装置１を備えている。本実施の形態では、表示装置１が設けられているので、上記第１の実施の形態と同様の効果を有している。
【００７９】
＜５．第４の実施の形態＞
[構成]
次に、本技術の第４の実施の形態に係るプロジェクタ４について説明する。プロジェクタ４は、本技術の「投射型表示装置」の一具体例に対応する。図４２は、本技術の第４の実施の形態に係るプロジェクタ４の概略面構成例を表したものである。プロジェクタ４は、例えば、光源装置５、画像生成システム６および投射光学系７を備えている。
【００８０】
画像生成システム６は、光源装置５から出射された光（例えば白色光）を映像信号に基づいて変調することにより複数色の画像光を生成し、生成した複数色の画像光を合成した上で、投影光学系７に出射するようになっている。画像生成システム６は、照明光学系６１０、画像生成部６２０および画像合成部６３０を有している。投射光学系７は、画像生成システム６から出射された画像光（合成された画像光）をスクリーンなどに投射するようになっている。画像生成システム６は、本技術の「光変調部」の一具体例に対応する。投射光学系７は、本技術の「投射部」の一具体例に対応する。
【００８１】
照明光学系６１０は、光源装置５から出射された光（例えば白色光）を複数の色光に分解するものである。照明光学系６１０は、例えば、インテグレータ素子６１１、偏光変換素子６１２、集光レンズ６１３、ダイクロイックミラー６１４，６１５およびミラー６１６〜６１８を有している。インテグレータ素子６１１は、例えば、フライアイレンズ６１１ａおよびフライアイレンズ６１１ｂを有している。フライアイレンズ６１１ａは、２次元配置された複数のマイクロレンズを有している。フライアイレンズ６１１ｂも、２次元配置された複数のマイクロレンズを有している。フライアイレンズ６１１ａは、光源装置５から出射された光（例えば白色光）を複数の光束に分割し、フライアイレンズ６１１ｂにおける各マイクロレンズに結像させるようになっている。フライアイレンズ６１１ｂは、二次光源として機能し、輝度の揃った複数の平行光を、偏光変換素子６１２に入射させるようになっている。ダイクロイックミラー６１４，６１５は、所定の波長域の色光を選択的に反射し、それ以外の波長域の光を透過させるようになっている。ダイクロイックミラー６１４は、例えば、赤色光を選択的に反射するようになっている。ダイクロイックミラー６１５は、例えば、緑色光を選択的に反射するようになっている。
【００８２】
画像生成部６２０は、外部から入力された各色に対応する映像信号に基づいて、照明光学系６１０によって分解された各色光を変調し、各色の画像光を生成するものである。画像生成部６２０は、例えば、赤色光用のライトバルブ６２１、緑色光用のライトバルブ６２２、青色光用のライトバルブ６２３を有している。赤色光用のライトバルブ６２１は、外部から入力された赤色に対応する映像信号に基づいて、照明光学系６１０から入力された赤色光を変調し、赤色の画像光を生成するものである。緑色光用のライトバルブ６２２は、外部から入力された緑色に対応する映像信号に基づいて、照明光学系６１０から入力された緑色光を変調し、緑色の画像光を生成するものである。青色光用のライトバルブ６２３は、外部から入力された青色に対応する映像信号に基づいて、照明光学系６１０から入力された青色光を変調し、青色の画像光を生成するものである。赤色光用のライトバルブ６２１、緑色光用のライトバルブ６２２、および青色光用のライトバルブ６２３は、上記実施の形態およびその変形例に係る表示装置１によって構成されている。
【００８３】
画像合成部６３０は、画像生成部６２０で生成された各色の画像光を合成し、カラー画像光を生成するものである。
【００８４】
[効果]
次に、本実施の形態のプロジェクタ４の効果について説明する。
【００８５】
本実施の形態では、赤色光用のライトバルブ６２１、緑色光用のライトバルブ６２２、および青色光用のライトバルブ６２３として、上記実施の形態およびその変形例に係る表示装置１が用いられている。これにより、表示装置１が設けられているので、上記第１の実施の形態と同様の効果を有している。
【００８６】
以上、４つの実施の形態およびその変形例を挙げて本技術を説明したが、本技術は上記各実施の形態に限定されるものではなく、種々変形が可能である。なお、本明細書中に記載された効果は、あくまで例示である。本技術の効果は、本明細書中に記載された効果に限定されるものではない。本技術が、本明細書中に記載された効果以外の効果を持っていてもよい。
【００８７】
また、例えば、本技術は以下のような構成を取ることができる。
（１）
電気光学素子の駆動を制御する制御回路であって、
当該制御回路から出力される信号波形が２００μｓｅｃの表示分解能または２００μｓｅｃよりも劣る表示分解能で観察されたときに、垂直スタート信号によって規定される１フィールド期間における垂直有効表示期間が前記１フィールド期間の開始時寄りとなるように、フィールド反転駆動方式でアクティブマトリクス駆動の制御を行う
制御回路。
（２）
前記１フィールド期間ごとに前記電気光学素子のコモン電圧に対して極性を反転させた信号電圧が前記電気光学素子に印加されるようにフィールド反転駆動の制御を行う
（１）に記載の制御回路。
（３）
前記１フィールド期間ごとに前記コモン電圧が変化するようにフィールド反転駆動の制御を行う
（２）に記載の制御回路。
（４）
前記コモン電圧を固定電位にしつつフィールド反転駆動の制御を行う
（２）に記載の制御回路。
（５）
前記垂直ブランキング期間が、前記１フィールド期間の１／２以上となっている
（１）ないし（４）のいずれか１つに記載の制御回路。
（６）
前記垂直ブランキング期間が、前記１フィールド期間の２／３以上となっている
（１）ないし（４）のいずれか１つに記載の制御回路。
（７）
前記垂直ブランキング期間が、前記１フィールド期間の３／４以上となっている
（１）ないし（４）のいずれか１つに記載の制御回路。
（８）
前記垂直ブランキング期間が、前記１フィールド期間の１／６以上となっている
（１）ないし（４）のいずれか１つに記載の制御回路。
（９）
前記垂直ブランキング期間が、前記１フィールド期間の１／１２以上となっている
（１）ないし（４）のいずれか１つに記載の制御回路。
（１０）
前記１フィールド期間内に１つだけ前記垂直有効表示期間が設けられている
（１）ないし（９）のいずれか１つに記載の制御回路。
（１１）
前記垂直有効表示期間は、前記１フィールド期間の１／２よりも短く、
前記１フィールド期間内に２つだけ前記垂直有効表示期間が設けられている
（１）ないし（１０）のいずれか１つに記載の制御回路。
（１２）
電気光学素子と、
前記電気光学素子の駆動を制御する制御回路と
を備え、
前記制御回路は、当該制御回路から出力される信号波形が２００μｓｅｃの表示分解能または２００μｓｅｃよりも劣る表示分解能で観察されたときに、垂直スタート信号によって規定される１フィールド期間における有効表示期間が前記１フィールド期間の開始時寄りとなるように、フィールド反転駆動方式でアクティブマトリクス駆動の制御を行う
表示装置。
（１３）
前記電気光学素子は、
行方向に延在する複数の走査線と、
列方向に延在する複数の信号線と、
前記走査線と前記信号線とが互いに交差する箇所ごとに１つずつ設けられた複数の画素と、
複数の前記走査線に接続された垂直駆動回路と、
複数の前記信号線に接続された水平駆動回路と
を有し、
各前記画素は、
液晶セルと、
前記走査線から入力される信号に基づいて前記信号線の電圧をサンプリングするとともに前記液晶セルに書き込む画素トランジスタと
を有し、
前記制御回路は、前記垂直駆動回路および前記水平駆動回路に対して、各前記画素のフィールド反転駆動方式によるアクティブマトリクス駆動の制御を行う
（１２）に記載の表示装置。
（１４）
表示装置を備え、
前記表示装置は、
電気光学素子と、
前記電気光学素子の駆動を制御する制御回路と
を有し、
前記制御回路は、当該制御回路から出力される信号波形が２００μｓｅｃの表示分解能または２００μｓｅｃよりも劣る表示分解能で観察されたときに、垂直スタート信号によって規定される１フィールド期間における有効表示期間が前記１フィールド期間の開始時寄りとなるように、フィールド反転駆動方式でアクティブマトリクス駆動の制御を行う
電子機器。
（１５）
照明光学系と、
前記照明光学系からの光を変調することで画像光を生成する複数の電気光学素子と、
複数の前記電気光学素子の駆動を制御する制御回路と、
複数の前記電気光学素子で生成された画像光を投射する投影光学系と
を備え、
前記制御回路は、当該制御回路から出力される信号波形が２００μｓｅｃの表示分解能または２００μｓｅｃよりも劣る表示分解能で観察されたときに、垂直スタート信号によって規定される１フィールド期間における有効表示期間が前記１フィールド期間の開始時寄りとなるように、フィールド反転駆動方式でアクティブマトリクス駆動の制御を行う
投射型表示装置。
【００８８】
本出願は、日本国特許庁において２０１５年６月２６日に出願された日本特許出願番号第２０１５−１２８９２９号を基礎として優先権を主張するものであり、この出願のすべての内容を参照によって本出願に援用する。
【００８９】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2016208321.tif 000003
【図２】
2016208321.tif 000004
【図３】
2016208321.tif 000005
【図４】
2016208321.tif 000006
【図５】
2016208321.tif 000007
【図６】
2016208321.tif 000008
【図７】
2016208321.tif 000009
【図８】
2016208321.tif 000010
【図９】
2016208321.tif 000011
【図１０】
2016208321.tif 000012
【図１１】
2016208321.tif 000013
【図１２】
2016208321.tif 000014
【図１３】
2016208321.tif 000015
【図１４】
2016208321.tif 000016
【図１５】
2016208321.tif 000017
【図１６】
2016208321.tif 000018
【図１７】
2016208321.tif 000019
【図１８】
2016208321.tif 000020
【図１９Ａ】
2016208321.tif 000021
【図１９Ｂ】
2016208321.tif 000022
【図２０Ａ】
2016208321.tif 000023
【図２０Ｂ】
2016208321.tif 000024
【図２１】
2016208321.tif 000025
【図２２】
2016208321.tif 000026
【図２３】
2016208321.tif 000027
【図２４】
2016208321.tif 000028
【図２５】
2016208321.tif 000029
【図２６】
2016208321.tif 000030
【図２７】
2016208321.tif 000031
【図２８】
2016208321.tif 000032
【図２９】
2016208321.tif 000033
【図３０】
2016208321.tif 000034
【図３１】
2016208321.tif 000035
【図３２】
2016208321.tif 000036
【図３３】
2016208321.tif 000037
【図３４】
2016208321.tif 000038
【図３５】
2016208321.tif 000039
【図３６】
2016208321.tif 000040
【図３７】
2016208321.tif 000041
【図３８】
2016208321.tif 000042
【図３９】
2016208321.tif 000043
【図４０】
2016208321.tif 000044
【図４１】
2016208321.tif 000045
【図４２】
2016208321.tif 000046
【国際調査報告】
2016208321.tif 000047
2016208321.tif 000048
2016208321.tif 000049
2016208321.tif 000050